(57)【要約】【課題】無線基地局と無線移動局との間の通信を実現する上で無線中継装置の必要性を判断し、不要であると判断した場合、無線中継装置のサービスを停止する無線中継装置及び無線通信方法を提供する。【解決手段】ＴＤＤ方式を採用する無線基地局ＢＳと無線移動局ＭＳとの間で送受信されるデータを中継する無線中継装置１１であって、無線基地局ＢＳからデータを第１期間で受信し、無線基地局ＢＳへデータを第２期間で送信する基地局側送受信部１１７と、無線移動局ＭＳからデータを第１期間で受信し、無線移動局ＭＳへデータを第２期間で送信する移動局側送受信部１２３と、第１期間に基地局側送受信部１１７での受信品質値を取得し、取得した受信品質値が受信品質閾値以上の場合、移動局側送受信部１２３の機能を無効にし、取得した受信品質値が受信品質閾値未満の場合、移動局側送受信部１２３の機能を有効にする制御部１２１とを備える。【選択図】図１
2012114833.tif 000002
【特許請求の範囲】
【請求項１】
ＴＤＤ方式を採用する無線基地局と無線移動局との間で送受信されるデータを中継する無線中継装置であって、
前記無線基地局からデータを第１期間で受信し、前記無線基地局へデータを第２期間で送信する基地局側送受信部と、
前記無線移動局からデータを前記第１期間で受信し、前記無線移動局へデータを前記第２期間で送信する移動局側送受信部と、
前記第１期間に前記基地局側送受信部での受信品質値を取得し、取得した前記受信品質値が受信品質閾値以上の場合、前記移動局側送受信部の機能を無効にし、取得した前記受信品質値が前記受信品質閾値未満の場合、前記移動局側送受信部の機能を有効にする制御部と
を備える無線中継装置。
【請求項２】
ＴＤＤ方式を採用する無線基地局と無線移動局との間で送受信されるデータを中継する無線中継装置の無線通信方法であって、前記無線中継装置が、
前記無線基地局からデータを第１期間に受信するステップと、
前記無線移動局からデータを前記第１期間に受信するステップと、
前記無線基地局へデータを第２期間に送信するステップと、
前記無線移動局へデータを前記第２期間に送信するステップと、
前記第１期間に前記無線基地局に関する前記無線中継装置の受信品質値を取得するステップと、
取得された前記受信品質値が受信品質閾値以上の場合、前記無線中継装置が前記無線移動局と通信するための機能を無効にするステップと、
取得された受信品質値が前記受信品質閾値未満の場合、前記無線中継装置が前記無線移動局と通信するための機能を有効にするステップと
を含む無線通信方法。
【発明の詳細な説明】
【技術分野】
【０００１】
本発明は、無線中継装置及び無線通信方法に関するものである。
【背景技術】
【０００２】
無線移動局が無線基地局と通信するためには、無線移動局は無線基地局からの無線電波が届く範囲（サービスエリア）に位置する必要がある。しかし、山岳地帯や高層ビル等が建ち並ぶ市街地では、障害物が多いため無線電波が届きにくい領域が存在する。また、屋外に設置された無線基地局からは、電波が届かない領域（例えば、建物の内部や地下）が多く存在する。特に、ＩＥＥＥ標準規格802.16eを基に規格化されたＷｉＭＡＸ（Worldwide Interoperability for Microwave Access）等の高速無線通信方式では、２．５ＧＨｚ以上の高周波数帯の電波が使用されるが、このような電波は直進性が強く、障害物を回りこむ性質が弱い。そのため、ＷｉＭＡＸ等は障害物の影響を強く受ける。このような電波が届かない領域をカバーするため、無線基地局と無線移動局との間の無線電波を中継する無線中継装置（レピータ）が必要となる。
【０００３】
この無線中継装置は、サービスエリアを拡充できるという利点がある反面、無線中継装置が発する電波が他の電波との干渉を引き起こすという欠点がある。無線中継装置に起因する干渉の一つには、無線基地局と通信を行う基地局側ユニット（ドナー部又はＭＳ（Mobile Station）部）と、無線移動局と通信を行う移動局側ユニット（サービス部又はＢＳ（Base Station）部）との間における相互干渉（回り込み干渉又は自己干渉）があげられる。例えば、基地局側ユニットの受信タイミングと移動局側ユニットの送信タイミングが重なった場合、無線基地局からの送信波が、移動局側ユニットの送信波と干渉を起こし、基地局側ユニットは、品質の劣化した無線基地局からの送信波を受信することになる。同様にして、基地局側ユニットの送信タイミングと移動局側ユニットの受信タイミングが重なった場合にも、相互干渉は発生する。
【０００４】
そこで、従来、相互干渉を抑制するための無線通信方法が提案されている（例えば、特許文献１参照）。当該方法は、図４のように、基地局側ユニットの送信（Ｔｘ）タイミングと移動局側ユニットの送信タイミングを第１期間に合わせ、基地局側ユニットの受信（Ｒｘ）タイミングと移動局側ユニットの受信タイミングを第２期間に合わせる。これにより、上述したような相互干渉について抑制することができる。
【先行技術文献】
【特許文献】
【０００５】
【特許文献１】特開２０１０−５６７１１号公報
【発明の概要】
【発明が解決しようとする課題】
【０００６】
しかし、無線中継装置に起因する干渉は、基地局側ユニットと移動局側ユニットとの間に生じる相互干渉だけではなく、図５のような状況においては別の干渉が発生する。図５では、無線基地局４０１が無線中継装置４０３を介して無線移動局４０５と通信を行っている。具体的には、無線基地局４０１が無線中継装置４０３の基地局側ユニット４０７と周波数Ａで通信を行い、無線移動局４０５が無線中継装置４０３の移動局側ユニット４０９と周波数Ｂで通信を行っている。更に、移動局側ユニット４０９は、無線基地局４１１からの周波数Ｂの電波が届く位置であるとする。このような状況では、上述の第１期間における無線基地局４１１の送信波は、第１期間における無線中継装置４０３と無線移動局４０５との通信（具体的には、無線移動局４０５からの送信波）間に干渉をもたらす。このような干渉は、無線中継装置に届く電波の送信元である無線基地局が激しく変化する電車等の車両に搭載された無線中継装置において特に問題となる。車両に搭載された無線中継装置は、移動局側ユニットで使用している周波数と同一周波数の無線基地局に接近する可能性が高い。
【０００７】
また、このような干渉が生じているときは、無線基地局のサービスエリアと無線中継装置のサービスエリアが重なっていることがある。重なったエリア内に位置する無線移動局は、無線基地局からの電波と無線中継装置からの電波との双方を受信できることになる。このような場合、無線移動局は、電波の電界強度が強い通信経路を選択する。無線中継装置は、無線基地局の電波を中継するため、無線移動局に近い位置に存在することが多い。よって、無線中継装置からの電波強度は、無線移動局よりも強くなりやすい。そのため、無線移動局は、無線基地局と直接通信できるにも係わらず、無線中継装置を経由した通信を選択することがある。そして、無線中継装置を経由した通信を選択する結果、当該無線中継装置の経由に起因するデータの伝送遅れも発生することになる。
【０００８】
従って、上記のような問題点に鑑みてなされた本発明の目的は、無線基地局と無線移動局との間の通信を実現する上で無線中継装置の必要性を判断し、不要であると判断した場合、無線中継装置のサービスを停止する無線中継装置及び無線通信方法を提供することにある。
【課題を解決するための手段】
【０００９】
上述した諸課題を解決すべく、第１の発明による無線中継装置は、
ＴＤＤ方式を採用する無線基地局と無線移動局との間で送受信されるデータを中継する無線中継装置であって、
前記無線基地局からデータを第１期間で受信し、前記無線基地局へデータを第２期間で送信する基地局側送受信部と、
前記無線移動局からデータを前記第１期間で受信し、前記無線移動局へデータを前記第２期間で送信する移動局側送受信部と、
前記第１期間に前記基地局側送受信部での受信品質値を取得し、取得した前記受信品質値が受信品質閾値以上の場合、前記移動局側送受信部の機能を無効にし、取得した前記受信品質値が前記受信品質閾値未満の場合、前記移動局側送受信部の機能を有効にする制御部と
を備える無線中継装置である。
【００１０】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１１】
例えば、本発明の第１の発明を方法として実現させた無線中継装置の無線通信方法は、無線中継装置が、
前記無線基地局からデータを第１期間に受信するステップと、
前記無線移動局からデータを前記第１期間に受信するステップと、
前記無線基地局へデータを第２期間に送信するステップと、
前記無線移動局へデータを前記第２期間に送信するステップと、
前記第１期間に前記無線基地局に関する前記無線中継装置の受信品質値を取得するステップと、
取得された前記受信品質値が受信品質閾値以上の場合、前記無線中継装置が前記無線移動局と通信するための機能を無効にするステップと、
取得された受信品質値が前記受信品質閾値未満の場合、前記無線中継装置が前記無線移動局と通信するための機能を有効にするステップと
を含む無線通信方法である。
【発明の効果】
【００１２】
上記のように構成された本発明に係る無線中継装置及び無線通信方法によれば、無線基地局から受信したデータに関する受信品質閾値に基づき無線基地局と無線移動局との間の通信を実現する上での無線中継装置の必要性が判断され、不要であると判断された場合、無線中継装置のサービス（無線中継装置と無線移動局との間の通信）は停止する。これにより、不要な無線中継装置に起因する電波の干渉の発生を防ぐことができる。
【図面の簡単な説明】
【００１３】
【図１】図１は、本発明の一実施形態に係る概略的な無線ネットワーク構成図である。
【図２】図２は、本発明の一実施形態に係る無線中継装置の概略構成を示す機能ブロック図である。
【図３】図３は、本発明の一実施形態に係る無線中継装置の処理を示すフローチャートである。
【図４】図４は、従来の無線通信方法を示す図である。
【図５】図５は、従来の無線通信方法において発生する干渉の説明図である。
【発明を実施するための形態】
【００１４】
以下、本発明に係る一実施形態について、図面を参照して説明する。
【００１５】
図１は、本発明の一実施形態に係る概略的な無線ネットワーク構成図である。無線ネットワーク１１は、無線基地局ＢＳ（Base Station）と、無線移動局ＭＳ（Mobile Station）と、無線中継装置１１１とから構成されている。無線ネットワーク１１の通信方式がＷｉＭＡＸである場合、無線ネットワーク１１には、例えば時分割複信（ＴＤＤ：Time Division Duplex）方式が採用される。無線中継装置１１１は、ＷｉＭＡＸ等の無線通信方式において、無線基地局ＢＳと無線移動局ＭＳとの間で送受信されるデータを中継する。当該無線中継装置１１１により、無線移動局ＭＳは、無線基地局ＢＳのセル（通信可能エリア）の範囲外に位置していても、無線基地局ＢＳとデータを送受信できる。
【００１６】
図２は、本発明の一実施形態に係る無線中継装置の概略構成を示す機能ブロック図である。無線中継装置１１１は、基地局側ユニット（ドナー部又はＭＳ（Mobile Station）部）１１３と、移動局側ユニット（サービス部又はＢＳ（Base Station）部）１１５とを備えている。無線中継装置１１１は、一体型、分離型又は車両型である。一体型の無線中継装置１１１は、一つの筐体内に基地局側ユニット１１３と移動局側ユニット１１５とを備えるものである。分離型又は車両型の無線中継装置１１１では、基地局側ユニット１１３と移動局側ユニット１１５とをそれぞれ独立して配置することが可能である。分離型又は車両型の基地局側ユニット１１３と移動局側ユニット１１５とは、同軸ケーブル等の信号ケーブルにより接続される。車両型の無線中継装置１１１は、移動車両への搭載を目的とするものであり、車両外に設置される基地局側ユニット１１３と、車両内に設置される移動局側ユニット１１５とにおいて異なる無線通信方式が採用されることがある。例えば、基地局側ユニット１１３には（ＷｉＦｉよりも）移動に強いＷｉＭＡＸが、移動局側ユニット１１５には（ＷｉＭＡＸよりも）通信速度の速いＷｉＦｉが採用される。
【００１７】
まず、基地局側ユニット１１３の機能ブロックについて説明する。基地局側ユニット１１３は、基地局側送受信部１１７と、基地局側記憶部１１９と、基地局側制御部１２１（請求項における制御部）とを備えている。
【００１８】
基地局側送受信部１１７は、アンテナを介して無線基地局ＢＳとデータを送受信する。無線ネットワーク１１に時分割複信方式が採用されている場合は、基地局側送受信部１１７は、例えば、無線基地局ＢＳからデータをある第１期間で受信し、無線基地局ＢＳへデータを第１期間に続く第２期間で送信する。そして、連続する第１期間と第２期間の繰り返しにより、基地局側送受信部１１７は、受信と送信を繰り返すことになる。
【００１９】
基地局側記憶部１１９は、基地局側ユニット１１３の受信品質閾値などの各種情報を記憶するものであり、ワークメモリなどとしても機能する。受信品質閾値は、無線中継装置１１１を介さずに無線基地局ＢＳと無線移動局ＭＳとが通信できる可能性が高いか否かという点に基づいて設定される。この受信品質閾値は、基地局側送受信部１１７で受信された無線基地局ＢＳが送信した電波における、例えば、ＲＳＳＩ（Received Signal Strength Indicator：受信信号強度）やＣＩＮＲ（Carrier to Interference and Noise Ratio：搬送波レベル対干渉雑音比）の値である。無線中継装置１１１を介さずに無線基地局ＢＳと無線移動局ＭＳとが通信できるためには、無線基地局ＢＳからの電波が無線移動局ＭＳまで直接届く必要がある。そこで、受信品質閾値に、電波が無線基地局ＢＳから無線移動局ＭＳまで届くことを保証する基地局側ユニット１１３の位置におけるＲＳＳＩの値が設定される。当該値は、移動距離に関する電波（データ）の電界強度の減衰率や無線基地局ＢＳ、無線中継装置１１１及び無線移動局ＭＳの位置関係、周囲の環境（基地局側ユニット１１３と移動局側ユニット１１５との間の無線におけるパスロス（伝播損失）など）などを勘案して求めることができる。また、無線中継装置１１１を介さずに無線基地局ＢＳと無線移動局ＭＳとが通信できるためには、無線移動局ＭＳに届いたデータが復調可能な品質を有している必要がある。そこで、受信品質閾値に、無線移動局ＭＳでのデータの復調を保証する基地局側ユニット１１３の位置におけるＣＩＮＲの値が設定される。当該値は、移動距離に関するデータの品質劣化率や無線基地局ＢＳ、無線中継装置１１１及び無線移動局ＭＳの位置関係、周囲の環境などを勘案して求めることができる。なお、本実施形態では、基地局側ユニット１１３のみが、記憶部を有するが、本発明は、この構成に限定されるわけではない。例えば、移動局側ユニット１１５のみが記憶部を有し、当該記憶部が、基地局側ユニット１１３及び移動局側ユニット１１５の各種情報を記憶することもできる。また、基地局側ユニット１１３及び移動局側ユニット１１５の双方が記憶部を有し、各々の記憶部が各々の情報を記憶することもできる。
【００２０】
基地局側制御部１２１は、基地局側ユニット１１３及び移動局側ユニット１１５の各機能ブロックをはじめとして基地局側ユニット１１３及び移動局側ユニット１１５の全体を制御及び管理する。ここで、基地局側制御部１２５は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることもできる。なお、本実施形態では、基地局側ユニット１１３のみが、制御部を有するが、本発明は、この構成に限定されるわけではない。例えば、移動局側ユニット１１５のみが制御部を有し、当該制御部が、基地局側ユニット１１３及び移動局側ユニット１１５の全体を制御及び管理することができる。また、基地局側ユニット１１３及び移動局側ユニット１１５の双方が制御部を有し、各々の制御部が各々のユニットを制御及び管理することもできる。
【００２１】
基地局側制御部１２１についてより詳細に説明する。基地局側制御部１２１は、基地局側送受信部１１７が受信した電波から、当該電波に関する受信品質値を取得する。受信品質値とは、例えば、ＲＳＳＩやＣＩＮＲである。基地局側送受信部１１７が受信した電波のＲＳＳＩとは、基地局側送受信部１１７が受信する無線基地局ＢＳからのデータ信号の電界強度のことである。ＲＳＳＩの値が大きいほど受信品質（通信品質）は良い。また、基地局側送受信部１１７が受信した電波のＣＩＮＲとは、無線基地局ＢＳからのデータ信号が受ける干渉や雑音の影響の度合いを示すものである。ＣＩＮＲの値が大きいほど受信品質は良い。
【００２２】
基地局側制御部１２１は、取得した受信品質値を基地局側記憶部１１９に記憶されている受信品質閾値と比較し、受信品質値が受信品質閾値以上の場合、無線基地局ＢＳと無線移動局ＭＳとの間の通信を実現するために無線中継装置１１１を介す必要はないと判断する。そして、基地局側制御部１２１は、後述の移動局側送受信部１２３の機能を無効にする。これにより、無線中継装置１１１と無線移動局ＭＳとの間の通信は不可能になり、無線中継装置１１１のサービスは停止されることになる。また、受信品質値が受信品質閾値未満の場合、無線基地局ＢＳと無線移動局ＭＳとの間の通信を実現するために無線中継装置１１１を介す必要があると判断する。そして、基地局側制御部１２１は、移動局側送受信部１２３の機能を有効にする。これにより、無線中継装置１１１と無線移動局ＭＳとの間の通信は可能になり、無線中継装置１１１のサービスは維持又は再開されることになる。
【００２３】
続いて、移動局側ユニット１１５の機能ブロックについて説明する。移動局側ユニット１１５は、移動局側送受信部１２３と、移動局側表示部１２５とを備えている。
【００２４】
移動局側送受信部１２３は、アンテナを介して無線移動局ＭＳとデータを送受信する。無線ネットワーク１１に時分割複信方式が採用されている場合は、移動局側送受信部１２３は、例えば、無線移動局ＭＳからデータをある第１期間で受信し、無線移動局ＭＳへデータを第１期間に続く第２期間で送信する。そして、連続する第１期間と第２期間の繰り返しにより、移動局側送受信部１２３は、受信と送信を繰り返すことになる。移動局側送受信部１２３と基地局側送受信部１１７との送信タイミング及び受信タイミングが揃うことにより、無線中継装置１１１における相互干渉は抑制される。
【００２５】
移動局側表示部１２５は、基地局側制御部１２１により移動局側送受信部１２３の機能が有効又は無効になった旨を表示するもので、例えば、液晶表示パネルや有機ＥＬ表示パネル等を用いて構成される。これにより、ユーザは、当該表示により無線中継装置１１１を介して無線通信が行われているか否かを認識することができる。なお、本実施形態では、移動局側ユニット１１５のみが、表示部を有するが、本発明は、この構成に限定されるわけではない。例えば、基地局側ユニット１１５のみが表示部を有し、当該表示部が、移動局側送受信部１２３の機能の有効又は無効を示す旨を表示することもできる。また、基地局側ユニット１１３及び移動局側ユニット１１５の双方が表示部を有し、各々の表示部が上記旨を表示することもできる。なお、移動局側送受信部１２３の機能の有効又は無効を示す旨の表示とは、液晶表示パネル等で構成された移動局側表示部１２５が「有効（無効）である」との文章を表示することに限定されるものではない。例えば、複数の色に対応する複数のＬＥＤ（Light Emitting Diode：発光ダイオード）で構成された移動局側表示部１２５が、「有効」及び「無効」にそれぞれ対応する色のＬＥＤを発光させることによりユーザに上記旨を通知することもできる。
【００２６】
続いて、無線中継装置１１１の必要性を決定する方法について、図３を参照して説明する。図３は、本発明の一実施形態に係る無線中継装置の処理を示すフローチャートである。
【００２７】
基地局側ユニット１１３は、データを送受信するために、未使用の伝送路を検出するためのキャリアセンスを定期的に行う。基地局側制御部１２１は、キャリアセンスにおいて基地局側送受信部１１７が受信した電波から受信品質値を取得する（ステップＳ１０１）。なお、図１では、無線基地局ＢＳが１つのみ記されているが、無線基地局ＢＳの数は１つに限定されるものではない点に留意すべきである。基地局側ユニット１１３が受信可能な電波を送信する無線基地局ＢＳが複数存在する場合、基地局側ユニット１１３は、全ての無線基地局ＢＳに関する基地局側受信品質値を取得することができる。また、キャリアセンスでは、基地局側制御部１２１は、基地局側受信品質値と共に無線基地局のＩＤの情報も受信することにより、基地局側受信品質値がどの無線基地局に関する値であるかを把握することができる。
【００２８】
そして、基地局側制御部１２１は、取得した受信品質値を基地局側記憶部１１９に記憶されている受信品質閾値と比較する（ステップＳ１０２）。受信品質値が受信品質閾値以上の場合（ステップＳ１０２のＹｅｓ）、基地局側制御部１２１は移動局側送受信部１２３の機能を無効にする（ステップＳ１０３）。これにより、無線基地局ＢＳと無線移動局ＭＳとが、無線中継装置１１１を介さずに通信を行うことになる。
【００２９】
その後、基地局側制御部１２１は、移動局側表示部１２５に移動局側送受信部１２３の機能が無効である旨を表示させる（ステップＳ１０４）。
【００３０】
ステップＳ１０２において、受信品質値が受信品質閾値未満の場合（ステップＳ１０２のＮｏ）、基地局側制御部１２１は移動局側送受信部１２３の機能を有効にする（ステップＳ１０５）。これにより、無線基地局ＢＳと無線移動局ＭＳとが、無線中継装置１１１を介して通信を行うことになる。
【００３１】
その後、基地局側制御部１２１は、移動局側表示部１２５に移動局側送受信部１２３の機能が有効である旨を表示させる（ステップＳ１０６）。
【００３２】
このように本実施形態では、無線中継装置１１１の基地局側制御部１２１は、基地局側送受信部１１７での受信品質値を取得し、取得した受信品質値が受信品質閾値以上の場合、移動局側送受信部１２３の機能を無効にし、取得した受信品質値が受信品質閾値未満の場合、移動局側送受信部１２３の機能を有効にする。受信品質閾値は、無線中継装置１１１を介さずに無線基地局ＢＳと無線移動局ＭＳとが通信できる可能性が高いか否かという点に基づいて設定されるものであるため、取得した受信品質値が受信品質閾値以上の場合は、無線中継装置１１１を介さずに無線基地局ＢＳと無線移動局ＭＳとが通信できる可能性は高い。このような状況では、無線中継装置１１１のサービスは停止される。これにより、無線基地局ＢＳと無線移動局ＭＳとが直接通信できるにも係わらず、無線中継装置１１１が使用されることを避けることができる。よって、不要な無線中継装置１１１に起因する電波の干渉の発生を防ぐことができる。また、不要な無線中継装置１１１が使用されないため、当該無線中継装置１１１に起因するデータの伝送遅れが発生することもない。更に、無線中継装置１１１が使用される場合、無線基地局ＢＳと基地局側ユニット１１３との間で使用される周波数と、無線移動局ＭＳと移動局側ユニット１１５との間で使用される周波数とには、干渉の発生を抑えるために、一般的に異なる周波数が割り当てられる。本実施形態では、無線中継装置１１１の使用が抑えられるため、無線リソース（無線チャネル）を確保することができる（無線リソースの無駄遣いを防止できる）。
【００３３】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００３４】
例えば、各部材、各手段、各ステップなどに含まれる機能などは論理的に矛盾しないように再配置可能であり、複数の手段やステップなどを１つに組み合わせたり、或いは分割したりすることが可能である。
【００３５】
上述の本発明の実施形態の説明において、例えば、受信品質閾値「以上」または受信品質閾値「未満」のような表現の技術的思想が意味する内容は必ずしも厳密な意味ではなく、無線中継装置の仕様に応じて、基準となる値を含む場合又は含まない場合の意味を包含するものとする。例えば、受信品質閾値「以上」とは、受信品質が受信品質閾値に達した場合のみならず、受信品質閾値を超えた場合も含意し得るものとする。また、例えば受信品質閾値「未満」とは、受信品質値が受信品質閾値を下回った場合のみならず、受信品質閾値に達した場合、つまり受信品質閾値以下になった場合も含意し得るものとする。
【符号の説明】
【００３６】
１１    無線ネットワーク
１１１  無線中継装置
１１３  基地局側ユニット
１１５  移動局側ユニット
１１７  基地局側送受信部
１１９  基地局側記憶部
１２１  基地局側制御部
１２３  移動局側送受信部
１２５  移動局側表示部
ＢＳ  無線基地局
ＭＳ  無線移動局
【図１】
2012114833.tif 000003
【図２】
2012114833.tif 000004
【図３】
2012114833.tif 000005
【図４】
2012114833.tif 000006
【図５】
2012114833.tif 000007